(57)【要約】【課題】油汚れを、簡易確実に、また、食品を扱う現場での清掃において人体にとって安全・健康的にかつ容易で経済的に、清掃除去することの可能な台所等まわり用洗浄シートの提供。【解決手段】シート基材及び洗浄液からなる台所等まわり用の油等汚れ落としシートであって、シート基材に、成分として植物油及び／又はその水素化生成物を含有する洗浄液を含浸され、台所等まわり用洗浄シートαを洗浄シートボックス本体１に取り出し自在に収蔵される特徴。【選択図】図１
2004236913.tif 000002
【特許請求の範囲】
【請求項１】
シート基材及び洗浄液からなる台所等まわり用の油等汚れ落としシートであって、
前記シート基材に、成分として植物油及び／又はその水素化生成物を含有する前記洗浄液を含浸され、適宜容器に取り出し自在に収蔵される、
ことを特徴とする台所等まわり用洗浄シート。
【請求項２】
前記洗浄液は、
さらに界面活性剤をも含有する、
ことを特徴とする請求項１に記載の台所等まわり用洗浄シート。
【請求項３】
前記シート基材は、
セルロース系繊維を含有する織布、不織布及び紙の少なくとも一つである、
ことを特徴とする請求項１又は２に記載の台所等まわり用洗浄シート。
【請求項４】
前記台所等まわり用洗浄シートは、
フィルム包装体に収納されている、
ことを特徴とする請求項１、２又は３に記載の台所等まわり用洗浄シート。
【発明の詳細な説明】
【０００１】
【発明の属する技術分野】
本発明は、炊事場、調理場、台所等まわり用洗浄シートに関し、詳しくは、台所における汚れ、特にレンジ、レンジフード、換気扇等に付着する油汚れ等の除去に、好適に使用される台所等まわり用洗浄シートに関する。
【０００２】
【従来の技術】
油を使用した調理を行うレンジ、レンジフード、換気扇又はレンジまわりの壁等の台所等まわりには、使用した油の飛びはね汚れ、調理時の油煙や食品からの油汚れ、あるいはそれらに混合された無機質汚れが強力に付着する。
【０００３】
従来、これら台所等まわりの頑固な汚れに対しては、たわしや布巾と共に、研磨剤を配合したクレンザーや強アルカリ性の洗剤、あるいは、脂肪酸アルカノールアミドを主とする界面活性剤を含有する台所用洗剤を用いて、付着した油成分を研磨、あるいは、分解して取り除くことにより清掃を行っていた。また、同様の洗剤成分を含浸させた使い捨てタイプの拭き取りクロスを用いることで、より手軽に清掃を可能とするものもある。
【０００４】
なお、この種の界面活性剤を用いた使い捨てタイプの洗剤付拭き取りクロスに関する技術の公知発明は、例えば以下の文献に開示されている。
【非特許文献】
“花王製品の相談室／住まいのお手入れ品”、［ｏｎｌｉｎｅ］、花王株式会社、インターネット〈ＵＲＬ：ｈｔｔｐ：／／ｗｗｗ．ｋａｏ．ｃｏ．ｊｐ／ｓｏｕｄａｎ／ａｎｓｗｅｒ／ｈｏｕｓｅ／ｋｉｔｃｈｅｎ／ａｎｓ＿０６．ｈｔｍｌ  〉
【０００５】
【発明が解決しようとする課題】
ところで、従来のたわしや布巾を用いた清掃には水や洗剤を染み込ませるといった作業が必要であるうえに、頑固な油汚れに対しては拭き取る力が要求されたいへんな重労働となる。
【０００６】
さらに、使用した布巾等はひどく汚れ、洗濯あるいは廃棄しなければならなかった。また、研磨剤を使用した場合、清掃箇所に傷が付く恐れがあり、強アルカリ性の洗剤を用いた場合には、手荒れ等の問題もある。加えて、食品を扱う台所等まわりの洗剤には、強力で有害な薬剤を用いることはできない。
【０００７】
また、使い捨てタイプの洗浄液付拭き取りクロスを用いて上記台所等まわりの油汚れ等の清掃を行おうとする場合、従来の洗浄液では頑固で強力な油汚れを完全に取り除くことは難しく、しつこい油汚れに対しては、無駄に洗剤付拭き取りクロスを大量消費することとなり、とても不経済である。
【０００８】
ここにおいて、本発明の解決すべき主要な目的は、次のとおりである。
【０００９】
即ち、本発明の第１の目的は、油汚れを簡易確実に取り除くことの可能な台所等まわり用洗浄シートを提供せんとするものである。
【００１０】
本発明の第２の目的は、食品を扱う現場での清掃において、人体にとって安全な台所等まわり用洗浄シートを提供せんとするものである。
【００１１】
本発明の第３の目的は、頑固な油汚れの除去に際して、容易に且つ経済的に清掃作業を行うことの可能な台所等まわり用洗浄シートを提供せんとするものである。
【００１２】
本発明の他の目的は、明細書、図面、特に特許請求の範囲の各請求項の記載から、自ずと明らかとなろう。
【００１３】
【課題を解決するための手段】
本発明洗浄シートにおいては、植物油及び／又はその水素化生成物を含有する洗浄液を、シート基材に含浸させる、という特徴的構成手段を講じる。
【００１４】
さらに、具体的詳細に述べると、当該課題の解決では、本名発明が次に列挙する上位概念から下位概念に亙る新規な特徴的構成手段を採用することにより、前記目的を達成するよう為される。
【００１５】
即ち、本発明洗浄シートの第１の特徴は、シート基材及び洗浄液からなる台所等まわり用の油等汚れ落としシートであって、前記シート基材に、成分として植物油及び／又はその水素化生成物を含有する前記洗浄液を含浸され、適宜容器に取り出し自在に収蔵される、台所等まわり用洗浄シートの構成採用にある。
【００１６】
本発明洗浄シートの第２の特徴は、上記本発明洗浄シートの第１の特徴における前記洗浄液が、さらに界面活性剤をも含有してなる、台所等まわり用洗浄シートの構成採用にある。
【００１７】
本発明洗浄シートの第３の特徴は、上記本発明洗浄シートの第１又は第２の特徴における前記シート基材が、セルロース系繊維を含有する織布、不織布及び紙の少なくとも一つである、台所等まわり用洗浄シートの構成採用にある。
【００１８】
本発明洗浄シートの第４の特徴は、上記本発明洗浄シートの第１、第２又は第３の特徴における前記台所等まわり用洗浄シートが、フィルム包装体に収納されている、台所等まわり用洗浄シートの構成採用にある。
【００１９】
【発明の実施の形態】
（実施形態例１）
以下、本実施形態例１につき、添付図面を参照しつつ、本発明をボックス入り洗浄シートに適用させた場合を例に挙げて詳細に説明する。
【００２０】
図１は、本実施形態例に係る台所等まわり用洗浄シートの外観構成斜視図である。同図に示すように、本形態例に係る台所等まわり用洗浄シートαは、上部に使用開始時切開する切開用条線又は開口を描刻したフィルム包装体（図示せず）に包装して洗浄シートボックス本体１の中に収納内蔵され、洗浄シートボックス本体１が具備する開口部２から、切開用条線又は開口を通して容易に取り出し可能に構成される。洗浄シートαを所要長連続的に引き出し切断して取り出すことも又ティッシュの様に一枚一枚不連続に取り出すことも出来る。
【００２１】
ここで、台所等まわり用洗浄シートαは、植物油１００重量％の水溶液からなる洗浄液を含浸させており、頑固な油汚れを掻き取る程度に表面が荒く加工されたセルロース系繊維を用いた不織布で構成され、洗浄液を十分に浸透させて保持できる構造となっている。洗浄液が洗浄シートボックス本体１の内壁面に付着しないよう洗浄シートαはフィルム包装体により被覆されている。
【００２２】
開口部２は、洗浄シートボックス本体１上に起伏開閉蝶動自在に一体設置された蓋部３により密封可能に構成し、空気あるいは水分をある程度遮断できる構造になっている。また、蓋部３と洗浄シートボックス本体１は分離可能であっても構わない。さらに、洗浄シートボックス本体１と嵌合して洗浄シートボックス本体１の内部を密封可能な底蓋部４は、取り外してフィルム包装体に包装された新たな台所等まわり用洗浄シートαを補充することで、台所等まわり用洗浄シートαの詰め替え可能に構成される。
【００２３】
また、詰め替え用の簡易パッケージとして、あるいは、洗浄シートボックス本体１内で台所等まわり用洗浄シートαは、不通気性のアルミ箔を積層させた前記フィルムに包装されることで、台所等まわり用洗浄シートαに含浸させた洗浄液成分の経時劣化を最小限とすることができる。
【００２４】
本実施形態例による洗浄液は、台所等まわりの頑固な汚れの主成分たる油分を溶解する、オレイン酸及びステアリン酸を含有するものであるが、他にもラウリン酸、パルミチン酸、リノール酸を含有するものであっても構わず、これらの植物油の生産される、例えば綿実、落花生、大豆、ひまわり、なたね、ごま、オリーブ、とうもろこし、サフラワー、パーム、パーム核及びやし等の１つあるいは１以上が混合された調合油は、本来、食用油として用いられるものであり、安全性、健康性に優れ、本実施形態例に好ましく使用することができる。
【００２５】
なお、台所等まわり用洗浄シートαの基材は、特に限定されないが、洗浄液を浸透して保持可能なものであれば、パルプ、綿等のセルロース系繊維を含む織布あるいは、紙であっても構わない。また、シート基材の拭き取り表面の加工は、既知の手段による自由なもので構わず、必ずしも加工が必要なものではない。
【００２６】
また、台所等まわり用洗浄シートαに含浸させる洗浄液は、植物油を部分水素化することで硬化させた水素化生成物であっても構わないし、植物油に水素化生成物を含ませたものであっても構わない。また、植物油及び／又はその水素化生成物を例えば、５０〜９９．９９重量％に対し、ここに公知の界面活性剤を０．０１〜２０重量％混和させて拭き取り効果を向上させることもできる。
【００２７】
本実施形態例による台所等まわり用洗浄シートαは、植物油及びその水素化生成物のうち１つ以上を洗浄液の主成分として含有するものであるから、特に食品の調理に用いた植物油の汚れに対して、油分汚れを溶解して良好な洗浄力を発揮する。このとき、シート基材にエンボスあるいは起毛加工を施すことでより強力な拭き取り効果を期待することもできる。
【００２８】
（実施形態例２）
次に、本実施形態例２につき、円筒ケース入り洗浄シートに適用させた場合を例に挙げて詳細に説明する。
【００２９】
図２は、本実施形態例に係る台所等まわり用洗浄シートの外観構成斜視図である。同図に示すように、本実施形態例に係る台所等まわり用洗浄シートαは、所要長に切断用のミシン目条線ａを入れロール状に巻かれた状態（図示せず）で、上部に描刻した切開口を使用時切開するフィルム包装体に包装されて洗浄シート円筒ケース本体５の中に開口部付き蓋部６により収納され、開口部７から洗浄シートαを連続的に引き出して取り出し可能に構成される。
【００３０】
また、開口部７は、開口部付き蓋部６の中心付近に切り込みを入れたことで構成され、洗浄シートαはこの切り込みにより出来た開口部２を通されることで、絞り上げられ余分な洗浄液を洗浄シート円筒ケース本体５の内部のフィルム包装体内（図示せず）に絞り取ることができ、洗浄液の量を適宜調整可能に構成される。なお、開口部の形状は引き出した洗浄シートαが切断し易い丸型でもよいし、切断刃金属リング付きでもよい。
【００３１】
ここで、洗浄シートαの基材及び洗浄液は、前述の実施形態例１で用いたものと同じものでよく、その実施形態例中の容器の構造及び洗浄シートの収納様態は如何に変態しても構わない。
【００３２】
本実施形態例による台所等まわり用洗浄シートαでは、実験対比において、油汚れは一回の拭き取り操作で容易に落ちた同じ頑固な汚れに対し、従来品では３回の拭き取り操作でも完全に落ちることはなかった。
【００３３】
以上、本発明の実施の形態につき、ボックス又は円筒ケース入り洗浄シートに適用した場合を例に挙げて説明したが、本発明は、必ずしも上述した手段にのみ限定されるものではなく、後述する効果を有する範囲内において、適宜、変更実施することが可能なものである。
【００３４】
【発明の効果】
以上、詳細に説明したように、本発明によれば、食品を取り扱う台所等まわりにおいて、油分を中心とする頑固な汚れが良好に溶解されると同時に、植物油あるいは植物油由来成分を主成分として洗浄液に用いることで、安全性も高く、また、研磨を必要としないため、清掃箇所を傷めることなく、確実に清掃が可能となる。
【００３５】
更に、使い捨てタイプの洗浄液付拭き取りクロスの採用により手軽でありながら、同時に、油分を含む汚れを確実に取り除くことが可能であることから、シート基材を無駄に消費することなく、かつ清掃に用いるクロス等の洗濯の手間も無くなり、利用者は重労働から開放される。
【図面の簡単な説明】
【図１】本発明の実施形態例１に係る台所等まわり用洗浄シートの外観構成斜視図である。
【図２】同上、実施形態例２に係る台所等まわり用洗浄シートの外観構成斜視図である。
【符号の説明】
α…台所等まわり用洗浄シート
１…洗浄シートボックス本体
２…開口部
３…蓋部
４…底蓋部
５…洗浄シート円筒ケース本体
６…開口部付き蓋部
７…開口部
ａ…切断用のミシン目条線
【図１】
2004236913.tif 000003
【図２】
2004236913.tif 000004